(57)【要約】【課題】電子マネー情報を記憶した非接触型記憶媒体を用いて料金精算を行なう料金精算装置において、ユーザに対する課金に応じた精算料金の回収漏れを防止する技術を提供すること。【解決手段】  情報読み取り部を備え、所定のユーザに対して課金をし、少なくとも電子マネー情報を記憶した非接触型記憶媒体が情報読み取り部にかざされることにより、課金に応じた料金の精算を行なう。具体的には、ユーザに対して所定のサービスが提供される場合において、ユーザがサービスの提供を受ける前に、提供されるサービスにより発生すると予測される予測料金を算出する。そして、算出した予測料金以上の料金をユーザに対して課金する。さらに、非接触型記憶媒体が情報読み取り部にかざされることにより、その課金に応じた料金の精算を行なう。【選択図】        図２
2006079267.tif 000002
【特許請求の範囲】
【請求項１】
情報読み取り部を備え、所定のユーザに対して課金をし、少なくとも電子マネー情報を記憶した非接触型記憶媒体が前記情報読み取り部にかざされることにより、前記課金に応じた料金の精算を行なう料金精算装置であって、
前記ユーザに対して所定のサービスが提供される場合において、
前記ユーザが前記サービスの提供を受ける前に、
提供される前記サービスにより発生すると予測される予測料金を算出し、算出した前記予測料金以上の料金を精算料金として前記ユーザに対して前記課金をし、前記非接触型記憶媒体が前記情報読み取り部にかざされることにより、その課金に応じた前記精算料金の精算を行なうシステム制御部を備えたことを特徴とする料金精算装置。
【請求項２】
請求項１に記載の料金精算装置において、
前記非接触型記憶媒体は、所定の識別情報が記憶されており、
過払い料金情報保存部を備え、
前記システム制御部は、
前記精算後、前記ユーザに実際に前記サービスが提供された場合において、そのサービスが提供されたことにより発生するサービス料金を算出し、精算した前記精算料金から、算出した前記サービス料金を減算した差額を算出し、算出した差額を過払い料金とし、その過払い料金を表す過払い料金情報を、前記識別情報と対応づけて前記過払い料金情報保存部に保存することを特徴とする料金精算装置。
【請求項３】
請求項２に記載の料金精算装置において、
前記システム制御部は、
前記料金の精算を行なう場合には、
前記ユーザにより前記情報読み取り部に前記非接触型記憶媒体がかざされると、前記課金に応じた前記精算料金分を、前記過払い料金情報保存部において、前記識別情報に対応する前記過払い料金情報が保存されている場合には、その過払い料金情報が表わす過払い料金と、前記非接触型記憶媒体の前記電子マネー情報が表わす電子マネーとの少なくとも一方から減算させることを特徴とする料金精算装置。
【請求項４】
請求項２または請求項３に記載の料金精算装置において、
前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得することを特徴とする料金精算装置。
【請求項５】
請求項２ないし請求項４のいずれかに記載の料金精算装置において、
前記識別情報は、前記ユーザを識別するための情報、若しくは、前記非接触型記憶媒体を識別するための情報であることを特徴とする料金精算装置。
【請求項６】
請求項１に記載の料金精算装置と、管理サーバとがネットワークを介して接続される料金精算システムであって、
前記非接触型記憶媒体は、所定の識別情報が記憶されており、
前記料金精算装置は、
前記管理サーバへ所定の情報を送信する送受信実行部を備え、
前記料金精算装置の前記システム制御部は、
前記精算後、前記ユーザに実際に前記サービスが提供された場合において、そのサービスが提供されたことにより発生するサービス料金を算出し、精算した前記精算料金から、算出した前記サービス料金を減算した差額を算出し、
前記送受信実行部は、
算出した差額を過払い料金とし、その過払い料金を表す過払い料金情報を、前記識別情報と対応づけて前記管理サーバに送信し、
前記管理サーバは、
送信されてくる前記識別情報と対応づけられた前記過払い料金情報を取得し、保存することを特徴とする料金精算システム。
【請求項７】
請求項６に記載の料金精算システムにおいて、
前記料金精算装置の前記送受信実行部は、
前記管理サーバに、少なくとも前記識別情報に対応する前記過払い情報の送信要求を行ない、
前記管理サーバは、
前記送信要求に基づいて、少なくとも前記識別情報と対応づけられた前記過払い料金情報を前記料金精算装置に送信し、
前記料金精算装置の前記送受信実行部は、
送信されてくる前記識別情報と対応づけられた前記過払い料金情報を少なくとも受信し、
前記システム制御部は、
前記精算料金の精算を行なう場合には、
前記ユーザにより前記情報読み取り部に前記非接触型記憶媒体がかざされると、前記課金に応じた前記精算料金分を、受信した過払い料金情報が表わす過払い料金と、前記非接触型記憶媒体の前記電子マネー情報が表わす電子マネーとの少なくとも一方から減算させることを特徴とする料金精算システム。
【請求項８】
請求項６または請求項７に記載の料金精算システムにおいて、
前記料金精算装置の前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得することを特徴とする料金精算システム。
【請求項９】
請求項６ないし請求項８のいずれかに記載の料金精算システムにおいて、
前記識別情報は、前記ユーザを識別するための情報、若しくは、前記非接触型記憶媒体を識別するための情報であることを特徴とする料金精算システム。
【請求項１０】
印刷部と情報読み取り部とを備え、前記印刷部で印刷された印刷物に基づいて所定のユーザに対して課金をし、少なくとも電子マネー情報を記憶した非接触型記憶媒体が前記情報読み取り部にかざされることにより、前記課金に応じた料金の精算を行なう印刷料金精算装置であって、
前記ユーザが前記印刷部に印刷させる場合において、
前記ユーザが前記印刷部に印刷させる前に、
印刷により発生すると予測される予測印刷料金を算出し、算出した前記予測印刷料金以上の料金を精算料金として前記ユーザに対して前記課金をし、前記非接触型記憶媒体が前記情報読み取り部にかざされることにより、その課金に応じた前記精算料金の精算を行なうシステム制御部を備えたことを特徴とする印刷料金精算装置。
【請求項１１】
請求項１０に記載の印刷料金精算装置において、
前記非接触型記憶媒体は、所定の識別情報が記憶されており、
過払い料金情報保存部を備え、
前記システム制御部は、
前記精算後、前記ユーザが実際に前記印刷部に印刷を実行させた場合において、それに基づき発生する印刷料金を算出し、精算した前記精算料金から、算出した前記印刷料金を減算して差額を算出し、
算出した差額を過払い料金とし、その過払い料金を表す過払い料金情報を、前記識別情報と対応づけて前記過払い料金情報保存部に保存することを特徴とする印刷料金精算装置。
【請求項１２】
請求項１１に記載の印刷料金精算装置において、
前記システム制御部は、
前記精算料金の精算を行なう場合には、
前記ユーザにより前記情報読み取り部に前記非接触型記憶媒体がかざされると、前記課金に応じた前記精算料金分を、前記過払い料金情報保存部において、前記識別情報に対応する前記過払い料金情報が保存されている場合には、その過払い料金情報が表わす過払い料金と、前記非接触型記憶媒体の前記電子マネー情報が表わす電子マネーとの少なくとも一方から減算させることを特徴とする印刷料金精算装置。
【請求項１３】
請求項１１または請求項１２に記載の印刷料金精算装置において、
前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得することを特徴とする印刷料金精算装置。
【請求項１４】
請求項１１ないし請求項１３のいずれかに記載の印刷料金精算装置において、
前記識別情報は、前記ユーザを識別するための情報、若しくは、前記非接触型記憶媒体を識別するための情報であることを特徴とする印刷料金精算装置。
【請求項１５】
請求項１０に記載の印刷料金精算装置と、管理サーバとがネットワークを介して接続される印刷料金精算システムであって、
前記非接触型記憶媒体は、所定の識別情報が記憶されており、
前記印刷料金精算装置は、
前記管理サーバへ所定の情報を送信する送受信実行部を備え、
前記印刷料金精算装置の前記システム制御部は、
前記精算後、前記ユーザが実際に前記印刷部に印刷させた場合において、それに基づき発生する印刷料金を算出し、精算した前記精算料金から、算出した前記印刷料金を減算して差額を算出し、
前記送受信実行部は、
算出した差額を過払い料金とし、その過払い料金を表す過払い料金情報を、前記識別情報と対応づけて前記管理サーバに送信し、
前記管理サーバは、
送信されてくる前記識別情報と対応づけられた前記過払い料金情報を取得し、保存することを特徴とする印刷料金精算システム。
【請求項１６】
請求項１５に記載の印刷料金精算システムにおいて、
前記印刷料金精算装置の前記送受信実行部は、
前記管理サーバに、少なくとも前記識別情報に対応する前記過払い料金情報の送信要求を行ない、
前記管理サーバは、
前記送信要求に基づいて、少なくとも前記識別情報と対応づけられた前記過払い料金情報を前記印刷料金精算装置に送信し、
前記印刷料金精算装置の前記送受信実行部は、
送信されてくる前記識別情報と対応づけられた前記過払い料金情報を少なくとも受信し、
前記システム制御部は、
前記料金の精算を行なう場合には、
前記ユーザにより前記情報読み取り部に前記非接触型記憶媒体がかざされると、前記課金に応じた前記精算料金分を、受信した過払い料金情報が表わす過払い料金と、前記非接触型記憶媒体の前記電子マネー情報が表わす電子マネーとの少なくとも一方から減算させることを特徴とする印刷料金精算システム。
【請求項１７】
請求項１５に記載の印刷料金精算システムにおいて、
少なくとも前記管理サーバと前記ネットワークを介して接続され、第２の情報読み取り部を備え、前記ユーザに対する第２の課金を検知し、前記非接触型記憶媒体が前記第２の情報読み取り部にかざされることにより、前記第２の課金に応じた第２の精算料金の精算を行なう料金精算装置を備え、
前記料金精算装置は、
前記第２の課金に応じた前記第２の精算料金の前記精算を行なう場合には、
前記ユーザによって前記非接触型記憶媒体が前記第２の情報読み取り部にかざされた場合に、かざされた前記非接触型記憶媒体から前記識別情報を取得し、
前記管理サーバに、少なくとも前記識別情報に対応する前記過払い料金情報の送信要求を行ない、
前記管理サーバは、
前記送信要求に基づいて、少なくとも前記識別情報と対応づけられた前記過払い料金情報を前記料金精算装置に送信し、
前記料金精算装置は、
送信されてくる前記識別情報と対応づけられた前記過払い料金情報を少なくとも受信し、
前記第２の精算料金の前記精算を行なう場合には、
前記ユーザにより前記第２の情報読み取り部に前記非接触型記憶媒体がかざされると、前記課金に応じた前記第２の精算料金分を、受信した過払い料金情報が表わす過払い料金から減算させることを特徴とする印刷料金精算システム。
【請求項１８】
請求項１５ないし請求項１７のいずれかに記載の印刷料金精算システムにおいて、
前記印刷料金精算装置の前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得することを特徴とする印刷料金精算システム。
【請求項１９】
請求項１５ないし請求項１８のいずれかに記載の印刷料金精算システムにおいて、
前記識別情報は、前記ユーザを識別するための情報、若しくは、前記非接触型記憶媒体を識別するための情報であることを特徴とする印刷料金精算システム。
【請求項２０】
所定のユーザに対して課金をし、少なくとも電子マネー情報を記憶した非接触型記憶媒体が情報読み取り装置にかざされることにより、前記課金に応じた料金の精算を行なう料金精算方法であって、
前記ユーザに対して所定のサービスが提供される場合において、
（ａ）前記ユーザが前記サービスの提供を受ける前に、提供される前記サービスにより発生すると予測される予測料金を算出する工程と、
（ｂ）前記ユーザが前記サービスの提供を受ける前に、算出した前記予測料金以上の料金を精算料金として前記ユーザに対して前記課金をする工程と、
（ｃ）前記非接触型記憶媒体が前記情報読み取り部にかざされることにより、前記課金に応じた前記精算料金の前記精算を行なう工程と、
備えたことを特徴とする料金精算方法。
【請求項２１】
印刷装置で印刷された印刷物に基づいて所定のユーザに対して課金をし、少なくとも電子マネー情報を記憶した非接触型記憶媒体が前記情報読み取り部にかざされることにより、前記課金に応じた料金の精算を行なう印刷料金精算方法であって、
前記ユーザが前記印刷装置に印刷させる場合において、
（ａ）前記ユーザが前記印刷部に印刷させる前に、印刷により発生すると予測される予測印刷料金を算出する工程と、
（ｂ）算出した前記予測印刷料金以上の料金を精算料金として前記ユーザに対して前記課金をする工程と、
（ｃ）前記非接触型記憶媒体が前記情報読み取り部にかざされることにより、前記課金に応じた前記精算料金の前記精算を行なう工程と、
を備えたことを特徴とする印刷料金精算方法。
【請求項２２】
所定のユーザに対して課金をさせ、少なくとも電子マネー情報を記憶した非接触型記憶媒体が情報読み取り装置にかざされることにより、前記課金に応じた料金の精算を行なわせるコンピュータプログラムであって、
前記ユーザに対して所定のサービスが提供される場合において、
（ａ）前記ユーザが前記サービスの提供を受ける前に、提供される前記サービスにより発生すると予測される予測料金を算出する機能と、
（ｂ）前記ユーザが前記サービスの提供を受ける前に、算出した前記予測料金以上の料金を精算料金として前記ユーザに対して前記課金をする機能と、
（ｃ）前記非接触型記憶媒体が前記情報読み取り部にかざされることにより、前記課金に応じた前記精算料金の前記精算を行なう機能と、
をコンピュータによって実現させるためのコンピュータプログラム。
【請求項２３】
印刷装置で印刷された印刷物に基づいて所定のユーザに対して課金をさせ、少なくとも電子マネー情報を記憶した非接触型記憶媒体が前記情報読み取り部にかざされることにより、前記課金に応じた料金の精算を行なわせるコンピュータプログラムであって、
前記ユーザが前記印刷装置に印刷させる場合において、
（ａ）前記ユーザが前記印刷部に印刷させる前に、印刷により発生すると予測される予測印刷料金を算出する機能と、
（ｂ）算出した前記予測印刷料金以上の料金を精算料金として前記ユーザに対して前記課金をする機能と、
（ｃ）前記非接触型記憶媒体が前記情報読み取り部にかざされることにより、前記課金に応じた前記精算料金の前記精算を行なう機能と、
をコンピュータによって実現させるためのコンピュータプログラム。
【請求項２４】
請求項２２または請求項２３に記載のコンピュータプログラムを記録したコンピュータ読み取り可能な記録媒体。
【発明の詳細な説明】
【技術分野】
【０００１】
本発明は、所定の課金に対して、非接触型記憶媒体を用いて課金に応じた料金の精算する技術に関する。
【背景技術】
【０００２】
近年、ユーザに対して課金を行ない、ユーザが、フェリカ（ＦｅｌｉＣａ：ソニー株式会社の登録商標）などの電子マネー情報を記憶した非接触型カードを用いて課金情報に応じた料金の精算を行なうための料金精算装置が普及しつつある。この料金精算装置は、電子マネー情報を読み取り可能なカードリーダに接続され、課金情報に応じた料金の精算を行なう場合に、ユーザにより上記非接触型カードが、カードリーダにかざされると、カードリーダを制御し、精算料金分を非接触型カードの電子マネー情報が表わす電子マネーから減算させることで、精算を行なう。
ところで、コピー機やプリンタ等の印刷装置と接続され、その印刷物の課金情報に応じた料金の精算を行なう印刷料金精算装置は、例えば、印刷面数などの印刷後に確定する印刷結果情報に基づいて課金を行ない、それに応じて料金の精算を行っている。そのため、この印刷料金精算装置において、上述のように、電子マネー情報を記憶した非接触型カードを用いて料金精算を行なうためには、印刷物を印刷した後に課金を行ない、それに応じて、ユーザに上記非接触型カードをカードリーダにかざしてもらい、料金の精算を行なっていた。
なお、下記特許文献１には、電子マネー情報を記憶したプリペードカードを用いた料金精算システムであって、精算料金分をプリペードカードの電子マネー情報から減算することで料金の精算が行なわれる技術が示されている。
【０００３】
【特許文献１】特開平２００１−３４８１６号公報
【発明の開示】
【発明が解決しようとする課題】
【０００４】
しかしながら、上述のような印刷料金精算装置において、ユーザが印刷物を印刷した後、それに基づき課金を行なった場合に、印刷が既に完了しているのもかかわらず、そのユーザが上記非接触型カードをカードリーダにかざさず、すなわち、課金に応じた料金の精算を行なわずに立ち去り、精算料金の回収漏れが生じる場合があった。
【０００５】
なお、上述の問題は、印刷料金精算装置において、電子マネー情報を記憶した非接触型カードを用いた場合に限られず、電子マネー情報を記憶した他の非接触型記憶媒体を用いた場合においても同様の問題である。この場合、非接触型記憶媒体としては、例えば、上述の非接触型カードと同様の機能を内蔵した携帯電話やＰＤＡなどがある。さらに、上述の問題は、印刷に基づく課金を行ない、それに応じて料金精算を行なう印刷料金精算装置に限られず、ユーザに対して所定の課金を行ない、それに応じて料金精算を行う他の料金精算装置においても同様の問題である。
【０００６】
本発明は、上記課題に鑑みてなされたもので、電子マネー情報を記憶した非接触型記憶媒体を用いて料金精算を行なう料金精算装置において、ユーザに対する課金に応じた精算料金の回収漏れを防止する技術を提供することを目的とする。
【課題を解決するための手段】
【０００７】
上記目的の少なくとも一部を達成するために、本発明の料金精算装置は、情報読み取り部を備え、所定のユーザに対して課金をし、少なくとも電子マネー情報を記憶した非接触型記憶媒体が前記情報読み取り部にかざされることにより、前記課金に応じた料金の精算を行なう料金精算装置であって、
前記ユーザに対して所定のサービスが提供される場合において、
前記ユーザが前記サービスの提供を受ける前に、
提供される前記サービスにより発生すると予測される予測料金を算出し、算出した前記予測料金以上の料金を精算料金として前記ユーザに対して前記課金をし、前記非接触型記憶媒体が前記情報読み取り部にかざされることにより、その課金に応じた前記精算料金の精算を行なうシステム制御部を備えたことを要旨とする。
【０００８】
上記料金精算装置の構成によれば、ユーザがサービスの提供を受ける前には、既に精算が終了しているので、ユーザに対する課金に応じた精算料金の回収漏れを防止することができる。
【０００９】
上記料金精算装置において、
前記非接触型記憶媒体は、所定の識別情報が記憶されており、
過払い料金情報保存部を備え、
前記システム制御部は、
前記精算後、前記ユーザに実際に前記サービスが提供された場合において、そのサービスが提供されたことにより発生するサービス料金を算出し、精算した前記精算料金から、算出した前記サービス料金を減算して差額を算出し、算出した差額を過払い料金とし、その過払い料金を表す過払い料金情報を、前記識別情報と対応づけて前記過払い料金情報保存部に保存するようにしてもよい。
【００１０】
このようにすれば、過払い料金が生じても、それを表わす過払い料金情報が過払い料金情報保存部に保存されるので、例えば、ユーザが、次に課金に応じた精算を行う場合に、保存してある過払い料金情報が表わす過払い料金分を使用することが可能となる。
【００１１】
上記料金精算装置において、
前記システム制御部は、
前記料金の精算を行なう場合には、
前記ユーザにより前記情報読み取り部に前記非接触型記憶媒体がかざされると、前記課金に応じた前記精算料金分を、前記過払い料金情報保存部において、前記識別情報に対応する前記過払い料金情報が保存されている場合には、その過払い料金情報が表わす過払い料金と、前記非接触型記憶媒体の前記電子マネー情報が表わす電子マネーとの少なくとも一方から減算させるようにしてもよい。
【００１２】
このようにすれば、精算時において、過去の過払い料金を用いて精算することができる。
【００１３】
上記料金精算装置において、
前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得するようにしてもよい。
【００１４】
このようにすれば、例えば、上記システム制御部は、上述のように、過払い料金情報を、取得した識別情報と対応づけて保存することができる。
【００１５】
上記料金精算装置において、
前記識別情報は、前記ユーザを識別するための情報、若しくは、前記非接触型記憶媒体を識別するための情報であってもよい。
【００１６】
上記目的の少なくとも一部を達成するために、本発明の料金精算システムは、上記料金精算装置と、管理サーバとがネットワークを介して接続される料金精算システムであって、
前記非接触型記憶媒体は、所定の識別情報が記憶されており、
前記料金精算装置は、
前記管理サーバへ所定の情報を送信する送受信実行部を備え、
前記料金精算装置の前記システム制御部は、
前記精算後、前記ユーザに実際に前記サービスが提供された場合において、そのサービスが提供されたことにより発生するサービス料金を算出し、精算した前記精算料金から、算出した前記サービス料金を減算して差額を算出し、
前記送受信実行部は、
算出した差額を過払い料金とし、その過払い料金を表す過払い料金情報を、前記識別情報と対応づけて前記管理サーバに送信し、
前記管理サーバは、
送信されてくる前記識別情報と対応づけられた前記過払い料金情報を取得し、保存することを要旨とする。
【００１７】
上記料金精算システムの構成によれば、精算によって過払い料金が生じても、それを表わす過払い料金情報が管理サーバに保存されるので、例えば、ユーザは、次に課金に応じた精算を行う場合に、管理サーバから過払い料金情報を取得し、それが表す過払い料金分を使用することが可能となる。
【００１８】
上記料金精算システムにおいて、
前記料金精算装置の前記送受信実行部は、
前記管理サーバに、少なくとも前記識別情報に対応する前記過払い情報の送信要求を行ない、
前記管理サーバは、
前記送信要求に基づいて、少なくとも前記識別情報と対応づけられた前記過払い料金情報を前記料金精算装置に送信し、
前記料金精算装置の前記送受信実行部は、
送信されてくる前記識別情報と対応づけられた前記過払い料金情報を少なくとも受信し、
前記システム制御部は、
前記精算料金の精算を行なう場合には、
前記ユーザにより前記情報読み取り部に前記非接触型記憶媒体がかざされると、前記課金に応じた前記精算料金分を、受信した過払い料金情報が表わす過払い料金と、前記非接触型記憶媒体の前記電子マネー情報が表わす電子マネーとの少なくとも一方から減算させるようにしてもよい。
【００１９】
このようにすれば、ユーザは、精算時において、管理サーバから取得した過去の過払い料金を用いて精算することができる。
【００２０】
上記料金精算システムにおいて、
前記料金精算装置の前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得するようにしてもよい。
【００２１】
このようにすれば、例えば、上記送受信実行部は、上述のように、過払い料金情報を取得した識別情報と対応づけて管理サーバに送信することができる。
【００２２】
上記料金精算システムにおいて、
前記識別情報は、前記ユーザを識別するための情報、若しくは、前記非接触型記憶媒体を識別するための情報であってもよい。
【００２３】
上記目的の少なくとも一部を達成するために、本発明の印刷料金精算装置は、印刷部と情報読み取り部とを備え、前記印刷部で印刷された印刷物に基づいて所定のユーザに対して課金をし、少なくとも電子マネー情報を記憶した非接触型記憶媒体が前記情報読み取り部にかざされることにより、前記課金に応じた料金の精算を行なう印刷料金精算装置であって、
前記ユーザが前記印刷部に印刷させる場合において、
前記ユーザが前記印刷部に印刷させる前に、
印刷により発生すると予測される予測印刷料金を算出し、算出した前記予測印刷料金以上の料金を精算料金として前記ユーザに対して前記課金をし、前記非接触型記憶媒体が前記情報読み取り部にかざされることにより、その課金に応じた前記精算料金の精算を行なうシステム制御部を備えたことを要旨とする。
【００２４】
上記印刷料金精算装置の構成によれば、サービスの提供を受ける前は、既に精算が終了しているので、印刷に基づくユーザに対する課金に応じた精算料金の回収漏れを防止することができる。
【００２５】
上記印刷料金精算装置において、
前記非接触型記憶媒体は、所定の識別情報が記憶されており、
過払い料金情報保存部を備え、
前記システム制御部は、
前記精算後、前記ユーザが実際に前記印刷部に印刷を実行させた場合において、それに基づき発生する印刷料金を算出し、精算した前記精算料金から、算出した前記印刷料金を減算して差額を算出し、
算出した差額を過払い料金とし、その過払い料金を表す過払い料金情報を、前記識別情報と対応づけて前記過払い料金情報保存部に保存するようにしてもよい。
【００２６】
このようにすれば、過払い料金が生じても、それを表わす過払い料金情報が過払い料金情報保存部に保存されるので、例えば、ユーザが、次に印刷を行なった場合において、その課金に応じた精算を行う際に、保存してある過払い料金情報が表わす過払い料金分を使用することが可能となる。
【００２７】
上記印刷料金精算装置において、
前記システム制御部は、
前記精算料金の精算を行なう場合には、
前記ユーザにより前記情報読み取り部に前記非接触型記憶媒体がかざされると、前記課金に応じた前記精算料金分を、前記過払い料金情報保存部において、前記識別情報に対応する前記過払い料金情報が保存されている場合には、その過払い料金情報が表わす過払い料金と、前記非接触型記憶媒体の前記電子マネー情報が表わす電子マネーとの少なくとも一方から減算させるようにしてもよい。
【００２８】
このようにすれば、ユーザは、印刷料金の精算時において、過去の過払い料金を用いて精算することができる。
【００２９】
上記印刷料金精算装置において、
前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得するようにしてもよい。
【００３０】
このようにすれば、例えば、上記システム制御部は、上述のように、過払い料金情報を取得した識別情報と対応づけて保存することができる。
【００３１】
上記印刷料金精算装置において、
前記識別情報は、前記ユーザを識別するための情報、若しくは、前記非接触型記憶媒体を識別するための情報であってもよい。
【００３２】
上記目的の少なくとも一部を達成するために、本発明の印刷料金精算システムは、上記印刷料金精算装置と、管理サーバとがネットワークを介して接続される印刷料金精算システムであって、
前記非接触型記憶媒体は、所定の識別情報が記憶されており、
前記印刷料金精算装置は、
前記管理サーバへ所定の情報を送信する送受信実行部を備え、
前記印刷料金精算装置の前記システム制御部は、
前記精算後、前記ユーザが実際に前記印刷部に印刷させた場合において、それに基づき発生する印刷料金を算出し、精算した前記精算料金から、算出した前記印刷料金を減算して差額を算出し、
前記送受信実行部は、
算出した差額を過払い料金とし、その過払い料金を表す過払い料金情報を、前記識別情報と対応づけて前記管理サーバに送信し、
前記管理サーバは、
送信されてくる前記識別情報と対応づけられた前記過払い料金情報を取得し、保存することを要旨とする。
【００３３】
上記印刷料金精算システムの構成によれば、過払い料金が生じても、それを表わす過払い料金情報が管理サーバに保存されるので、例えば、ユーザが、次に印刷を行なった場合において、その課金に応じた精算を行う際に、管理サーバから過払い料金情報を取得し、それが表す過払い料金分を精算時に使用することが可能となる。
【００３４】
上記印刷料金精算システムにおいて、
前記印刷料金精算装置の前記送受信実行部は、
前記管理サーバに、少なくとも前記識別情報に対応する前記過払い料金情報の送信要求を行ない、
前記管理サーバは、
前記送信要求に基づいて、少なくとも前記識別情報と対応づけられた前記過払い料金情報を前記印刷料金精算装置に送信し、
前記印刷料金精算装置の前記送受信実行部は、
送信されてくる前記識別情報と対応づけられた前記過払い料金情報を少なくとも受信し、
前記システム制御部は、
前記精算料金の精算を行なう場合には、
前記ユーザにより前記情報読み取り部に前記非接触型記憶媒体がかざされると、前記課金に応じた前記精算料金分を、受信した過払い料金情報が表わす過払い料金と、前記非接触型記憶媒体の前記電子マネー情報が表わす電子マネーとの少なくとも一方から減算させるようにしてもよい。
【００３５】
このようにすれば、ユーザは、印刷料金の精算時において、管理サーバから取得した過去の過払い料金を用いて精算することができる。
【００３６】
上記印刷料金精算システムにおいて、
少なくとも前記管理サーバと前記ネットワークを介して接続され、第２の情報読み取り部を備え、前記ユーザに対する第２の課金を検知し、前記非接触型記憶媒体が前記第２の情報読み取り部にかざされることにより、前記第２の課金に応じた第２の精算料金の精算を行なう料金精算装置を備え、
前記料金精算装置は、
前記第２の課金に応じた前記第２の精算料金の前記精算を行なう場合には、
前記ユーザによって前記非接触型記憶媒体が前記第２の情報読み取り部にかざされた場合に、かざされた前記非接触型記憶媒体から前記識別情報を取得し、
前記管理サーバに、少なくとも前記識別情報に対応する前記過払い料金情報の送信要求を行ない、
前記管理サーバは、
前記送信要求に基づいて、少なくとも前記識別情報と対応づけられた前記過払い料金情報を前記料金精算装置に送信し、
前記料金精算装置は、
送信されてくる前記識別情報と対応づけられた前記過払い料金情報を少なくとも受信し、
前記第２の精算料金の前記精算を行なう場合には、
前記ユーザにより前記第２の情報読み取り部に前記非接触型記憶媒体がかざされると、前記課金に応じた前記第２の精算料金分を、受信した過払い料金情報が表わす過払い料金から減算させるようにしてもよい。
【００３７】
このようにすれば、ユーザは、上記印刷料金精算装置の精算時に発生した過払い料金を、上記料金精算装置の精算時に使用することができる。
【００３８】
上記印刷料金精算システムにおいて、
前記印刷料金精算装置の前記システム制御部は、
前記非接触型記憶媒体が前記情報読み取り部にかざされることにより、前記精算料金の精算を行なう前に、別途、前記ユーザによって前記非接触型記憶媒体が前記情報読み取り部にかざされた場合に、かざされた前記非接触型記憶媒体から前記識別情報を取得するようにしてもよい。
【００３９】
このようにすれば、例えば、上記送受信実行部は、上述のように、過払い料金情報を取得した識別情報と対応づけて管理サーバに送信することができる。
【００４０】
上記印刷料金精算システムにおいて、
前記識別情報は、前記ユーザを識別するための情報、若しくは、前記非接触型記憶媒体を識別するための情報であってもよい。
【００４１】
なお、本発明は、上記した装置発明の態様に限ることなく、料金精算方法や印刷料金精算方法発明としての態様で実現することも可能である。さらには、それら方法や装置を構築するためのコンピュータプログラムとしての態様や、そのようなコンピュータプログラムを記録した記録媒体としての態様や、上記コンピュータプログラムを含み搬送波内に具現化されたデータ信号など、種々の態様で実現することも可能である。
【００４２】
また、本発明をコンピュータプログラムまたはそのプログラムを記録した記録媒体等として構成する場合には、上記装置の動作を制御するプログラム全体として構成するものとしてもよいし、本発明の機能を果たす部分のみを構成するものとしてもよい。
【発明を実施するための最良の形態】
【００４３】
以下、本発明の実施の形態について、実施例に基づき次の順序で説明する。
Ａ．第１の実施例：
Ａ１．システム概要：
Ａ２．各部の機能：
Ａ３．第１の印刷および料金精算処理：
Ａ４．実施例の効果：
Ｂ．第２の実施例：
Ｂ１．システム概要：
Ｂ２．各部の機能：
Ｂ３．第２の印刷および料金精算処理：
Ｂ４．実施例の効果：
Ｃ．変形例：
【００４４】
Ａ．第１の実施例：
Ａ１．システム概要：
図１は、本発明の一実施例としてのキャンパスプリントシステムＣＰＳ１の概要構成を示す説明図である。以下に、第１の実施例として、或る大学Ｍに構築されるキャンパスプリントシステムＣＰＳ１について説明する。このキャンパスプリントシステムＣＰＳ１は、大学Ｍの学生（以下、単に学生と呼ぶ。）が、大学Ｍ内で印刷およびその精算を行なうための印刷および精算システムである。このキャンパスプリントシステムＣＰＳ１は、大学Ｍ内に設置される複数の学生用のパーソナルコンピュータ（ＰＣ）（以下、クライアントＣＬと呼ぶ。）と、大学Ｍ内に設置される複数のプリントシステムＰＳと、複数のチャージャＣＧとを備える。これらの装置のうち、クライアントＣＬとプリントシステムＰＳのプリンタサーバＰＳＶとがローカルエリアネットワークＬＡＮ１を介して接続されている。なお、図１には、複数のクライアントＣＬのうち、クライアントＣＬ１とクライアントＣＬ２のみが、複数のプリントシステムＰＳのうち、学生ラウンジにあるプリントシステムＰＳ１と図書館にあるプリントシステムＰＳ２のみが、複数あるチャージャＣＧのうち、チャージャＣＧ１のみが、それぞれ示されている。この他、プリントシステムＰＳおよびチャージャＣＧは、学生が集まる他の施設（例えば、図書館。）等に設置されているが、本実施例では、省略している。
【００４５】
上述のネットワークに接続されている各プリンタサーバＰＳＶと各クライアントＣＬ間の通信は、ＴＣＰ／ＩＰをベースとしており、各装置には、それぞれ、ＩＰアドレスが予め固定で割り振られている。そして、発信元の装置から発信された通信データには、発信元の装置のＩＰアドレス（発信元ＩＰアドレス）と、送信先の装置のＩＰアドレス（送信先ＩＰアドレス）とが含まれており、この通信データは、送信先ＩＰアドレスに従って、そのＩＰアドレスを有する装置に送信される。このようにして、各装置間の通信は行なわれる。
【００４６】
Ａ２．各部の機能：
本発明の特徴部分である各プリントシステムＰＳは、それぞれ同様の構成となっており、プリンタサーバＰＳＶと、カードリーダＣＲと、タッチパネルＴＰと、プリンタＰＲＴとをそれぞれ備えている。また、カードリーダＣＲ、タッチパネルＴＰ、およびプリンタＰＲＴは、それぞれプリンタサーバＰＳＶと接続されている。
【００４７】
図２は、本実施例におけるプリントシステムＰＳ１および管理サーバＭＳＶの構成を示す説明図である。上述したように、各プリントシステムＰＳの構成は同様となっているので、代表してプリントシステムＰＳ１の各機能について説明する。
【００４８】
プリンタサーバＰＳＶ１は、図２に示すように、ＣＰＵ１００と、メモリ４００と、ネットワークＩ／Ｆ２００と、デバイスＩ／Ｆ３００とを備えている。
【００４９】
デバイスＩ／Ｆ３００は、タッチパネルＴＰ１、カードリーダＣＲ１、およびプリンタＰＲＴ１とのデバイスインタフェースであり、これらの機器と種々のデータのやりとりを行なう。
【００５０】
ネットワークＩ／Ｆ２００は、ネットワーク通信を行うための通信インタフェースであり、ローカルエリアネットワークＬＡＮ１を介して各クライアントＣＬ若しくは管理サーバＭＳＶとの通信を行う。
【００５１】
ＣＰＵ１００は、所定のメモリ（図示せず）から、所定のアプリケーションプログラムを読み出し実行することにより、図２に示すように、システム制御部１１０として機能する。
【００５２】
システム制御部１１０は、タッチパネルＴＰ１、カードリーダＣＲ１およびプリンタＰＲＴ１を制御し、後述の第１の印刷および料金精算処理を行なう。この処理におけるシステム制御部１１０の各制御の詳細は、後述する。また、システム制御部１１０は、送受信実行部１２０を備え、その制御を行なう。
送受信実行部１２０は、各クライアントＣＬからの印刷ジョブを受信する。
【００５３】
メモリ４００は、印刷料金算出用テーブル保存部４０５と、印刷料金情報保存部４１０と、カード情報保存部４２０と、過払い料金情報テーブル４３０と、印刷ジョブ保存部４４０と、使用可能電子マネー情報保存部４５０と、精算料金情報保存部４６０とを備えている。
【００５４】
印刷料金算出用テーブル保存部４０５には、印刷料金算出用テーブルが予め保存してある。この印刷料金算出用テーブルは、印刷面数、用紙サイズ、およびカラーかモノクロかを表わす情報（以下、カラー／モノクロ情報と呼ぶ。）等に対応する印刷料金を表わすテーブルである。
【００５５】
印刷料金情報保存部４１０は、印刷結果に基づく印刷料金を表わす印刷料金情報を保存する。カード情報保存部４２０は、非接触型電子マネーカードＥＣから取得された、学籍番号情報、氏名情報、および電子マネー情報を保存する。過払い料金情報テーブル４３０は、後述の過払い料金情報テーブルを保存する。印刷ジョブ保存部４４０は、クライアントＣＬから送信されてくる印刷ジョブを保存する。使用可能電子マネー情報保存部４５０は、後述する使用可能電子マネー情報を保存する。精算料金情報保存部４６０は、後述の精算料金情報を保存する。
【００５６】
プリンタＰＲＴ１は、プリンタサーバＰＳＶ１から送信されてくる印刷ジョブを印刷する。また、プリンタＰＲＴ１は、印刷が正常に終了すると、その印刷における総印刷面数や、用紙サイズ、カラー／モノクロ情報などの印刷の結果得られる印刷結果情報をプリンタサーバＰＳＶ１に送信する。
【００５７】
タッチパネルＴＰ１は、印刷を行なう学生の学籍番号情報、氏名情報と共に印刷ジョブリストを表示したり、学生に印刷料金の精算要求を表わす表示を行なったりする。また、タッチパネルＴＰ１は、学生によって画面にタッチされることにより、印刷ジョブを選択し、印刷実行指示を受け付ける。これらの機能の詳細は、後述する。
【００５８】
図３は、本実施例における非接触型電子マネーカードＥＣおよびカードリーダＣＲ１の機能を示す説明図である。
【００５９】
本実施例における非接触型電子マネーカードＥＣは、大学Ｍから配布されたものであり、電子回路（図示せず）と、メモリ（図示せず）とを備えている。このメモリには、所有する学生の学籍番号情報、氏名情報、および電子マネー情報が記憶されており、学籍番号情報および氏名情報は、予め記憶されている。このメモリにおける電子マネー情報は、所定のチャージャＣＧで、入金した金額に対応する価値の電子マネー分が加算されて記憶されたり、後述する第１の印刷および料金精算処理でカードリーダＣＲ１にかざされると、所定の電子マネー分が減算されて記憶される。
【００６０】
カードリーダＣＲ１は、図３に示すように、非接触型電子マネーカードＥＣの情報を読み取るカード情報読み取り部５０を備えている。この情報読み取り部５０は、非接触型電子マネーカードＥＣがかざされると、その非接触型電子マネーカードＥＣに記憶された学籍番号情報、氏名情報、および電子マネー情報を読み取ることができる。この読み取り動作についての詳細は、後述する。
【００６１】
チャージャＣＧは、お金を入金することが可能となっており、入金されたお金に対応する価値の電子マネーを非接触型電子マネーカードＥＣに補充する。例えば、チャージャＣＧは学生により、チャージャＣＧに１０００円の入金があると、非接触型電子マネーカードＥＣに１０００円分の電子マネーを補充する。
【００６２】
なお、プリンタサーバＰＳＶは、この他、コンピュータが備える種々の一般的な構成を備えるが、説明の便宜上省略されている。
【００６３】
Ａ３．第１の印刷および料金精算処理：
本実施例のキャンパスプリントシステムＣＰＳ１では、学生が、所定のクライアントＣＬにログインし、そのクライアントＣＬに予め登録されているプリンタサーバＰＳＶの中から所望するプリンタサーバＰＳＶを選択し、印刷ジョブを送信する。その後、学生は、送信先のプリンタサーバＰＳＶの設置されている場所まで行き、非接触型電子マネーカードＥＣをプリンタサーバＰＳＶに接続されるカードリーダＣＲにかざすことで自己の認証を行なう。そして、学生は、プリンタサーバＰＳＶに接続されるタッチパネルＴＰにおいて自分が送信した印刷ジョブのうち所望の印刷ジョブを選択し、それらの印刷実行を要求する。そうすると、プリンタサーバＰＳＶにより、選択した印刷ジョブに基づき、課金がなされるので、学生は、その課金に応じて料金精算を行なう。その後、プリンタＰＲＴにおいて、選択した印刷ジョブの印刷が行なわれ、学生は、選択した印刷ジョブに対応する印刷物を得ることができるようになっている。このように学生が印刷および料金精算を行なう場合において、各装置の動作、機能について以下に説明する。
【００６４】
各クライアントＣＬには、予めローカルエリアネットワークＬＡＮ１に接続される複数のプリンタサーバＰＳＶが登録されている。各クライアントＣＬは、学生により、ログイン名としての学籍番号と、予め定められたパスワードが入力されると、その学生に対してログインを許可し、入力された学籍番号を学籍番号情報として保存する。そして、各クライアントＣＬは、ログイン許可後、予め備えられる管理テーブル（図示せず）から上記学籍番号に基づく学生の氏名情報を取得し、氏名情報として保存する。各クライアントＣＬは、学生により印刷ジョブの送信先としてプリンタサーバＰＳＶが指定され、印刷ジョブの送信指示がなされると、その印刷ジョブのヘッダに、ログインした学生に対応する学籍番号情報および氏名情報を添付して、指定されたプリンタサーバＰＳＶに送信する。
【００６５】
一方、プリンタサーバＰＳＶは、各学生から送信されてくる印刷ジョブを受信し、印刷ジョブ保存部４４０に保存する。そして、プリンタサーバＰＳＶは、以下に示す第１の印刷および料金精算処理を行なう。以下では、各プリンタサーバＰＳＶのうち、代表してプリンタサーバＰＳＶ１が行なう第１の印刷および料金精算処理について説明する。
【００６６】
図４および図５は、本実施例におけるプリンタサーバＰＳＶ１が行なう第１の印刷および料金精算処理を示すフローチャートである。
まず、図４に示すように、プリンタサーバＰＳＶ１のシステム制御部１１０は、所定の学生により非接触型電子マネーカードＥＣがカードリーダＣＲ１にかざされたかどうかを判断する（ステップＳ１０）。システム制御部１１０は、学生により非接触型電子マネーカードＥＣがカードリーダＣＲ１にかざされていない場合には（ステップＳ１０：ＮＯ）、待機する。
【００６７】
システム制御部１１０は、所定の学生（この学生を以下では、学生Ｘと呼ぶ。）により非接触型電子マネーカードＥＣがカードリーダＣＲ１にかざされた場合には（ステップＳ１０：ＹＥＳ）、その非接触型電子マネーカードＥＣに記憶された学生Ｘの電子マネー情報、学籍番号情報および氏名情報を、カードリーダＣＲ１を介して取得し、カード情報保存部４２０に保存する（ステップＳ２０）。具体的には、非接触型電子マネーカードＥＣがカードリーダＣＲ１のカード情報読み取り部５０（図３）にかざされると、カード情報読み取り部５０は特定の周波数の電波を発信する。一方、上述した非接触型電子マネーカードＥＣの電子回路は、この電波を受信し、これを駆動力として、メモリに記憶された学籍番号情報、氏名情報、および電子マネー情報をカードリーダＣＲ１へ送信する。他方、カード情報読み取り部５０は、非接触型電子マネーカードＥＣから送信された学籍番号情報、氏名情報、および電子マネー情報を受信し、さらに、これをプリンタサーバＰＳＶ１へ送信する。このようにして、システム制御部１１０は、非接触型電子マネーカードＥＣの各情報を、カードリーダＣＲ１を介して取得し、保存することができる。なお、このような非接触型電子マネーカードＥＣとしては、例えば、ＦｅｌｉＣａ（ソニー株式会社の登録商標）などがある。
【００６８】
図６は、本実施例における過払い料金情報テーブルを示す説明図である。この過払い料金情報テーブルは、過去に、学生が印刷料金について精算料金を多く払いすぎた過払い料金を表すテーブルであり、過払い料金が、誰の過払い料金であるかわかるように学籍番号情報と対応づけられて記憶されている。
【００６９】
システム制御部１１０は、カード情報保存部４２０に保存した学生Ｘの電子マネー情報と、過去に過払い料金がある場合には、過払い料金情報テーブル４３０に保存される過払い料金情報テーブルから学生Ｘに対応する過払い料金情報とを取得し、それらを合計し、それを使用可能な電子マネー情報（以下、使用可能電子マネー情報と呼ぶ。）として使用可能電子マネー情報保存部４５０に保存する（ステップＳ３０）。なお、システム制御部１１０は、過払い料金情報テーブル４３０に保存される過払い料金情報テーブルから学生Ｘに対応する過払い料金情報を取得する場合には、まず、学生Ｘの学籍番号情報をカード情報保存部４２０から取得し、次に、過払い料金情報テーブルにおいて、取得した学籍番号情報に対応する学籍番号があるかどうかを検索し、それがある場合には、その学籍番号に対応する過払い料金を取得する。システム制御部１１０は、検索の結果、学籍番号がない場合には、過去に過払い料金がないと判断し、カード情報保存部４２０に保存した電子マネー情報のみを使用可能電子マネー情報とする。
【００７０】
続いて、システム制御部１１０は、印刷ジョブ保存部４４０に保存されている各印刷ジョブに添付されている学籍番号情報の中から、カード情報保存部４２０に保存した学生Ｘの学籍番号情報と一致する学籍番号情報を検索し、一致した学籍番号情報の添付されている印刷ジョブをリストアップする（ステップＳ４０）。なお、システム制御部１１０は、印刷ジョブ保存部４４０に保存されている各印刷ジョブに添付されている氏名情報の中から、カード情報保存部４２０に保存した学生Ｘの氏名情報と一致する氏名情報を検索し、一致した氏名情報の添付されている印刷ジョブをリストアップするようにしてもよい。
【００７１】
システム制御部１１０は、リストアップした各印刷ジョブの印刷予測料金を算出し、印刷ジョブリストｒｓｔを作成する（ステップＳ５０）。この印刷ジョブリストｒｓｔは、各印刷ジョブに対応する、印刷予測料金欄と、印刷ジョブの選択可否を表わす選択可否欄とを備える。具体的には、システム制御部１１０は、リストアップした各印刷ジョブにおいて、その印刷ジョブを印刷した場合に予測される総印刷面数や、学生により印刷ジョブ送信時に決められた用紙サイズおよびカラー／モノクロ情報などから印刷にかかる料金をそれぞれ予測し、それらを印刷予測料金として印刷ジョブリストｒｓｔの印刷予測料金欄にそれぞれ記載する。
【００７２】
システム制御部１１０は、作成した印刷ジョブリストｒｓｔと、カード情報保存部４２０に保存した学生Ｘの学籍番号情報、氏名情報、および電子マネー情報とに基づいて、印刷ジョブリスト選択画面Ｑを作成し、以下の図７に示すように、タッチパネルＴＰ１に表示させる（ステップＳ６０）。
【００７３】
図７は、本実施例におけるタッチパネルＴＰ１に表示される印刷ジョブリスト選択画面Ｑを説明するための図である。この図７に示す印刷ジョブリスト選択画面Ｑは、上方に学籍番号情報、氏名情報および電子マネー情報を示し、略中央に印刷ジョブリストｒｓｔを示している。また、印刷ジョブリスト選択画面Ｑは、下方に印刷実行要求ボタンＢＴ１を備え、印刷ジョブリストｒｓｔと印刷実行要求ボタンＢＴ１との間に印刷予測料金合計欄を備えている。さらに、印刷ジョブリスト選択画面Ｑは、印刷ジョブリストｒｓｔの各印刷ジョブの表示部分を、ボタン（以下、印刷ジョブボタンＢＴ２と呼ぶ。）に形成している。印刷ジョブリストｒｓｔにおける選択可否欄は、「○」が表示されれば、対応する印刷ジョブが印刷予定の印刷ジョブとして選択されていることを示し、「−」が表示されれば、印刷予定の印刷ジョブとして選択されてないことを示す。この選択可否欄において、選択可否欄に「○」が表示されている状態で、学生Ｘにより印刷ジョブボタンＢＴ２が押されると、「○」に代えて「−」が表示され、選択可否欄に「−」が表示されている状態で、学生Ｘにより印刷ジョブボタンＢＴ２が押されると、「−」に代えて「○」が表示されるようになっている。また、印刷ジョブリストｒｓｔは、白抜きで表示される部分（以下、白抜き部分と呼ぶ。）と、グレイアウトで表示される部分（以下、グレイアウト部分と呼ぶ。）とに分けられる。白抜き部分の印刷ジョブは、学生Ｘがそれを選択できるようになっていることを示し、グレイアウト部分の印刷ジョブは、学生Ｘがそれを選択できないようになっていることを示す。デフォルトでは、白抜き部分の印刷ジョブは、すべて選択された状態（すなわち、選択可否欄がすべて「○」）となっている。白抜き部分の印刷ジョブの印刷予測料金の合計は、表示されている電子マネー情報が表わす電子マネー（以下、表示電子マネーと呼ぶ。）を超えないように設定されており、印刷予測料金合計欄には、白抜き部分の印刷ジョブ（すなわち、学生Ｘに選択されている印刷ジョブ）の印刷予測料金の合計（以下、印刷予測料金合計と呼ぶ。）が記載される。
【００７４】
ところで、学生Ｘにより白抜き部分の所定の印刷ジョブの選択が解除された場合には、その選択が解除された印刷ジョブの印刷予測金額相当分、印刷予測金額の合計が減少する。この場合に、減少した印刷予測金額合計と、グレイアウト部分における或る印刷ジョブの印刷予測金額との合計が、表示電子マネーを超えない場合には、そのグレイアウト部分の印刷ジョブのグレイアウト表示を解除し、学生Ｘがその印刷ジョブを選択可能となるようにする。例えば、図６に示すように、白抜き部分において、印刷ジョブＡ〜Ｄが印刷予定の印刷ジョブとして選択されている場合に、学生Ｘにより印刷ジョブＡおよび印刷ジョブＤの選択が解除されると、他の選択されている印刷ジョブの印刷予測金額合計が、印刷ジョブＢ，Ｃの印刷予測金額の合計である４６０円となる。この場合に、この印刷予測金額合計（４６０円）と、グレイアウト部分における印刷ジョブＥの印刷予測金額１１００円との合計は、１５６０円であり、これは、表示電子マネー（１６００円）を超えないので、印刷ジョブＥのグレイアウトを解除し、学生Ｘがその印刷ジョブを選択できるようにする。
【００７５】
続いて、システム制御部１１０は、学生Ｘにより上述のごとく印刷ジョブが選択され、印刷実行要求ボタンＢＴ１が押されたかどうかを判断する（ステップＳ７０）。印刷実行要求ボタンＢＴ１が押されていない場合には、待機する（ステップＳ７０：ＮＯ）。
【００７６】
図８は、本実施例におけるタッチパネルＴＰ１に表示される料金精算要求画面Ｒを説明するための図である。
続いて、システム制御部１１０は、学生Ｘにより上述のごとく印刷ジョブが選択され、印刷実行要求ボタンＢＴ１が押されると（ステップＳ７０：ＹＥＳ）、各印刷ジョブの印刷予測料金に基づき、学生Ｘに対して料金精算要求を行なう（ステップＳ８０）。具体的には、システム制御部１１０は、印刷実行要求ボタンＢＴ１が押された際に、印刷予測料金合計欄に示される印刷予測料金の合計（すなわち、学生Ｘにより選択された印刷ジョブの印刷予測料金合計）を精算すべき印刷料金（以下では、精算料金と呼ぶ。）として、学生Ｘに料金精算要求する料金精算要求画面Ｒを作成する。そして、システム制御部１１０は、図８に示すように、作成した料金精算要求画面ＲをタッチパネルＴＰ１に表示させる。この料金精算要求画面Ｒには、略中央に、精算料金が示されている。また、この料金精算要求画面Ｒには、その上方に、印刷ジョブリスト選択画面Ｑと同様に、学籍番号情報、氏名情報、および電子マネー情報が示されている。さらに、料金精算要求画面Ｒには、非接触型電子マネーカードＥＣをかざして料金精算を行なうことができるタイムリミットまでの残り時間も示されている。
【００７７】
システム制御部１１０は、タッチパネルＴＰ１に料金精算要求画面Ｒを表示後、図５に示すように、１０分以内に学生Ｘの非接触型電子マネーカードＥＣがカードリーダＣＲ１にかざされたかどうか、を判断する（ステップＳ９０）。なお、非接触型電子マネーカードＥＣがかざされた場合に、その非接触型電子マネーカードＥＣが学生Ｘの非接触型電子マネーカードＥＣであるかどうかの判断は、かざされた非接触型電子マネーカードＥＣから学籍番号情報を取得し、取得した学籍番号情報が表わす学籍番号と、カード情報保存部４２０に保存された学籍番号情報が表わす学籍番号とを比較し、それらが一致した場合に、かざされた非接触型電子マネーカードＥＣが学生Ｘの非接触型電子マネーカードＥＣであると判断する。また、この処理では、１０分以内に限られず、管理者が定める任意の時間以内に、学生Ｘの非接触型電子マネーカードＥＣがカードリーダＣＲ１にかざされたかどうかを判断するようにしてもよい。
【００７８】
システム制御部１１０は、タッチパネルＴＰ１に料金精算要求画面Ｒを表示後、１０分以内に学生Ｘの非接触型電子マネーカードＥＣがカードリーダＣＲ１にかざされた場合には（ステップＳ９０：ＹＥＳ）、過払い料金情報テーブル４３０に保存された過払い料金情報テーブルにおける過払い料金から、又は、カードリーダＣＲ１を介して非接触型電子マネーカードＥＣの電子マネー情報が表わす電子マネーから、精算料金分の料金又は電子マネーを減算させることにより、精算を完了させ、精算料金を精算料金情報として精算料金情報保存部４６０に保存する（ステップＳ１００）。
【００７９】
具体的には、システム制御部１１０は、過払い料金情報テーブルにおいて、上述のステップ９０の処理で取得した学生Ｘの学籍番号情報が表す学籍番号が記載されているかどうかを検索し、記載されている場合には、まず、その学籍番号に対応する過払い料金情報を取得し、精算料金分の料金をその過払い料金から減算する。この場合、システム制御部１１０は、精算料金より過払い料金の方が多い場合には、過払い料金からすべての精算料金を減算させ、精算を完了させる。一方、システム制御部１１０は、過払い料金より精算料金の方が多い場合には、すべての過払い料金を減算させ、次に、残りの精算料金分をかざされた非接触型電子マネーカードＥＣの電子マネー情報が表わす電子マネーから減算させて、精算を完了させる。なお、システム制御部１１０は、上述のように、学生Ｘの学籍番号に対応する過払い料金情報を取得した場合には、過払い料金情報テーブルから、その過払い料金情報を削除する。システム制御部１１０は、精算後において、減算した過払い料金がまだ残っている場合には、残った過払い料金を学生Ｘの学籍番号情報と対応づけて、過払い料金情報テーブルに再度記載する。一方、システム制御部１１０は、過払い料金情報テーブルにおいて、上述のステップ９０の処理で取得した学生Ｘの学籍番号情報が表す学籍番号が記載されているかどうかを検索し、記載されていない場合には、精算料金分をかざされた非接触型電子マネーカードＥＣの電子マネー情報が表わす電子マネーのみから減算させて、精算を完了させる。
【００８０】
精算完了後、システム制御部１１０は、上述のステップＳ７０の処理で印刷実行要求ボタンＢＴ１が押された際に、学生Ｘにより選択された（すなわち、印刷ジョブリストｒｓｔの選択可否欄（図７）に「○」が表示されていた）印刷ジョブをプリンタＰＲＴ１に送信し、印刷を実行させる（ステップＳ１１０）。一方、プリンタＰＲＴ１は、印刷ジョブを受信すると、それを印刷する。そして、プリンタＰＲＴ１は、正常に印刷が完了した場合には、印刷結果情報をプリンタサーバＰＳＶ１に送信する。プリンタＰＲＴ１は、故障などで正常に印刷が完了しなかった場合には、プリンタサーバＰＳＶ１に印刷エラー情報を送信する。なお、プリンタＰＲＴ１は、印刷中に、学生により、プリンタＰＲＴ１が備えるキャンセルボタン（図示せず）が押された場合には、印刷を終了する。この場合、プリンタＰＲＴ１は、正常に印刷が完了したと判断し、キャンセルボタンが押されるまでの印刷結果情報をプリンタサーバＰＳＶ１に送信する。
【００８１】
システム制御部１１０は、印刷が正常に完了したかどうかを判断する（ステップＳ１２０）。システム制御部１１０は、プリンタＰＲＴ１から印刷結果情報を受信すると、印刷が正常に完了したと判断し（ステップＳ１２０：ＹＥＳ）、印刷料金算出用テーブル保存部４０５に保存してある印刷料金算出用テーブルと、受信した印刷結果情報とを対比させ、印刷料金を算出し（ステップ１３０）、それを印刷料金情報として印刷料金情報保存部４１０に保存する（ステップ１５０）。また、システム制御部１１０は、プリンタＰＲＴ１から印刷エラー情報を受信すると、正常に印刷が行なわれなかったと判断し（ステップＳ１２０：ＮＯ）、すなわち、印刷料金なしと判断し（ステップＳ１４０）、印刷料金を０円とする印刷料金情報を印刷料金情報保存部４１０に保存する（ステップ１５０）。
【００８２】
続いて、システム制御部１１０は、保存した精算料金情報が表す精算料金と、保存した印刷料金情報が表す印刷料金との差額を、新たな過払い料金として算出し、それを学生Ｘの学籍番号情報に対応づけて過払い料金情報テーブルに記載する（ステップ１６０）。なお、システム制御部１１０は、過払い料金情報テーブルにおいて、上述のステップＳ１００の処理で、精算後に、残った過払い料金を学生Ｘの学籍番号情報と対応づけて、再度記載させている場合には、既に記載されている過払い料金情報の表す過払い料金に、新たな過払い料金を加え、その合計を新しい過払い料金として記載する。
【００８３】
システム制御部１１０は、ステップＳ１６０の処理が終了すると、第１の印刷および料金精算処理を終了する。
【００８４】
また、システム制御部１１０は、１０分以内に学生Ｘの非接触型電子マネーカードＥＣがかざされなかったと判断した場合には（ステップＳ９０：ＮＯ）、精算料金に対する支払いがなかった（すなわち、未清算）と判断し（ステップＳ１７０）、この第１の印刷および料金精算処理を終了する。
【００８５】
Ａ４．実施例の効果：
上記第１の印刷および料金精算処理において、プリンタサーバＰＳＶは、学生が選択した印刷ジョブの印刷予測料金を算出し、その印刷ジョブを印刷実行する前に、算出した印刷予測料金に基づき学生に対して課金を行なっている。そして、プリンタサーバＰＳＶは、学生によりその課金に応じた精算が終了後、印刷を実行するようにしている。このようにすれば、学生が選択した印刷ジョブに基づき印刷が行なわれた時には、既に精算が終了しているので、学生に対する課金に応じた精算料金の回収漏れを防止することができる。
【００８６】
上記第１の印刷および料金精算処理において、プリンタサーバＰＳＶは、精算料金と印刷料金との差額を過払い料金として、その過払い料金情報を過払い料金情報テーブルに記載するようにしている。このようにすれば、精算を行なう学生は、実際に生じた印刷料金よりも多く精算料金を支払った場合であっても、その多く支払った料金分を、過払い料金として、そのプリンタサーバＰＳＶで次回の精算時に使用することができるので、不利益になることはない。
【００８７】
上記キャンパスプリントシステムＣＰＳ１では、タッチパネルＴＰ１に表示される印刷ジョブリスト選択画面Ｑの印刷ジョブリストｒｓｔ（図６）において、学生Ｘが選択可能である白抜き部分の印刷ジョブの印刷予測料金の合計は、表示電子マネーを超えないように設定されている。このようにすれば、学生Ｘが印刷を実行した際に生じる印刷料金が、使用可能電子マネー超えることを抑制することができる。
【００８８】
Ｂ．第２の実施例：
Ｂ１．システム概要：
次に、本発明における第２の実施例を説明する。
図９は、本発明の一実施例としてのキャンパスプリントシステムＣＰＳ２の概要構成を示す説明図である。本実施例のキャンパスプリントシステムＣＰＳ２は、図９に示すように、基本的に第１の実施例におけるキャンパスプリントシステムＣＰＳ１と同様の構成となっているが、第１の実施例におけるキャンパスプリントシステムＣＰＳ１と比べて、管理サーバＭＳＶを備える点で、第１の実施例と異なる。本実施例のキャンパスプリントシステムＣＰＳ２における各プリンタサーバＰＳＶ'は、精算により過払い料金が生じると、その過払い料金を表わす過払い料金情報を管理サーバＭＳＶに送信する。一方、管理サーバＭＳＶは、各プリンタサーバＰＳＶ'から送信されてくる過払い料金情報を受信し、過払い料金情報テーブル（図６）に記載する。従って、過払い料金情報を取得する場合において、第１の実施例のプリンタサーバＰＳＶは、それぞれのプリンタサーバＰＳＶ自身に保存された過払い料金情報テーブルから過払い料金情報を取得していたが、本実施例のプリンタサーバＰＳＶ'は、管理サーバＭＳＶに問い合わせ、管理サーバＭＳＶから過払い料金情報を取得している。以下では、このように第１の実施例と相違する点を中心に、本実施例を説明する。
【００８９】
Ｂ２．各部の機能：
本実施例のキャンパスプリントシステムＣＰＳ２は、複数のプリントシステムＰＳ'を備えており、それらプリントシステムＰＳ'のうち代表してプリントシステムＰＳ'１について説明する。
【００９０】
図１０は、本実施例におけるプリントシステムＰＳ'１および管理サーバＭＳＶの構成を示す説明図である。
図１０に示すように、本実施例におけるプリントシステムＰＳ'１は、基本的には第１の実施例におけるプリントシステムＰＳ１と同様の構成となっているが、プリンタサーバＰＳＶ１と比べて送受信実行部の機能が若干異なるプリンタサーバＰＳＶ'１を備えている。
【００９１】
すなわち、本実施例におけるプリンタサーバＰＳＶ'１の送受信実行部１２５は、各クライアントＣＬからの印刷ジョブを受信するだけでなく、管理サーバＭＳＶから過払い料金情報を取得し、それをメモリ４００が備える過払い料金情報保存部４３５に保存したり、過払い料金情報保存部４３５に保存される過払い料金情報を、管理サーバＭＳＶへ送信する。
【００９２】
管理サーバＭＳＶは、図９に示すように、ローカルエリアネットワークＬＡＮ１に接続されている。これにより、管理サーバＭＳＶは、本実施例の各プリントシステムＰＳ'のプリンタサーバＰＳＶ'と通信可能となっている。
【００９３】
図１０に示すように、管理サーバＭＳＶは、ＣＰＵ８００と、メモリ９００と、ネットワークＩ／Ｆ７００とを備えている。
【００９４】
ネットワークＩ／Ｆ７００は、ネットワーク通信を行うための通信インタフェースであり、ローカルエリアネットワークＬＡＮ１を介して各クライアントＣＬ若しくは各プリンタサーバＰＳＶとの通信を行う。
【００９５】
ＣＰＵ８００は、所定のメモリ（図示せず）から、所定のアプリケーションプログラムを読み出し実行することにより、図１０に示すように、管理制御部８１０として機能する。
【００９６】
管理制御部８１０は、各プリンタサーバＰＳＶ'より送信されてくる過払い料金情報を受信し、それをメモリ９００が備える過払い料金情報テーブル保存部９１０の過払い料金情報テーブルに記載する。この過払い料金情報テーブルは、図６に示す過払い料金情報テーブルと同様の機能を備えたテーブルであり、本実施例の各プリンタサーバにおいて、過去に印刷料金に対して精算料金を多く払いすぎた過払い料金を表すテーブルであり、過払い料金が、誰の過払い料金であるかわかるように学籍番号情報と対応づけられて記憶されている。また、管理制御部８１０は、プリンタサーバＰＳＶ'からの過払い料金情報の送信要求があると、過払い料金情報テーブルに基づいて、要求があったプリンタサーバＰＳＶ'へ過払い料金情報を送信する。
【００９７】
Ｂ３．第２の印刷および料金精算処理：
次に、プリンタサーバＰＳＶ'１が行なう第２の印刷および料金精算処理を説明する。
図１１および図１２は、本実施例におけるプリンタサーバＰＳＶ'１が行なう第２の印刷および料金精算処理を示すフローチャートである。この第２の印刷および精算料金処理は、第１の実施例の第１の印刷および料金精算処理（図４、図５：ステップＳ１０〜ステップＳ１７０）において、ステップＳ２０とステップＳ３０の処理の間に、ステップＳ３１０〜ステップＳ３３０の処理を追加し、また、ステップＳ３０およびステップＳ１００の処理の代わりにそれぞれステップＳ３４０およびステップＳ３５０の処理を追加し、さらに、ステップＳ１６０の処理の代わりにステップＳ３６０およびステップＳ３７０の処理を追加している。この第２の印刷および料金精算処理において、第１の実施例における第１の印刷および料金精算処理と同様の処理についての説明は省略する。
【００９８】
図１１に示すように、システム制御部１１０が、非接触型電子マネーカードＥＣに記憶された学生Ｘの電子マネー情報、学籍番号情報および氏名情報をカード情報保存部４２０に保存すると（ステップＳ２０）、送受信実行部１２５は、管理サーバＭＳＶへ保存した学籍番号情報に対応する過払い料金情報の問い合わせを行なう（ステップＳ３１０）。一方、管理サーバＭＳＶは、プリンタサーバＰＳＶ'１から問い合わせがあると、過払い料金情報テーブル保存部９１０に保存された過払い料金情報テーブルにおいて、問い合わせのあった学籍番号情報を検索し、その学籍番号情報が記載されている場合には、その学籍番号情報対応する過払い料金情報を取得し、それをプリンタサーバＰＳＶ'１へ送信する。一方、管理サーバＭＳＶは、問い合わせのあった学籍番号情報を検索し、その学籍番号情報が記載されていない場合には、その学籍番号情報に対応する過払い料金がないと判断し、過払い料金を０円とする過払い料金情報をプリンタサーバＰＳＶ'１へ送信する。
【００９９】
続いて、送受信実行部１２５は、管理サーバＭＳＶから送信されてくる過払い料金情報を受信したかどうかを判断する（ステップＳ３２０）。受信していない場合は（ステップＳ３２０：ＮＯ）、待機する。
【０１００】
送受信実行部１２５は、管理サーバＭＳＶから送信されてくる過払い料金情報を受信した場合には（ステップＳ３２０：ＹＥＳ）、受信した過払い料金情報を過払い料金情報保存部４３５に保存する（ステップＳ３３０）。
【０１０１】
次に、システム制御部１１０は、カード情報保存部４２０に保存した学生Ｘの電子マネー情報と、過払い料金情報保存部４３５に保存される過払い料金情報を取得し、それらを合計し、それを使用可能電子マネー情報として使用可能電子マネー情報保存部４５０に保存する（ステップＳ３４０）。
【０１０２】
また、システム制御部１１０は、タッチパネルＴＰ１に料金精算要求画面Ｒを表示後、１０分以内に学生Ｘの非接触型電子マネーカードＥＣがカードリーダＣＲ１にかざされた場合には（ステップＳ９０：ＹＥＳ）、過払い料金情報保存部４３５に保存された過払い料金情報が表わす過払い料金から、又は、カードリーダＣＲ１を介して非接触型電子マネーカードＥＣの電子マネー情報が表わす電子マネーから、精算料金分の料金又は電子マネーを減算させることにより、精算を完了させ、精算料金を精算料金情報として精算料金情報保存部４６０に保存する（ステップＳ３５０）。
【０１０３】
具体的には、システム制御部１１０は、まず、過払い料金情報保存部４３５から過払い料金情報を取得し、精算料金分の料金をその過払い料金から減算する。この場合、システム制御部１１０は、精算料金より過払い料金の方が多い場合には、過払い料金からすべての精算料金を減算させ、精算を完了させる。一方、システム制御部１１０は、過払い料金より精算料金の方が多い場合には、すべての過払い料金を減算させ、次に、残りの精算料金分をかざされた非接触型電子マネーカードＥＣの電子マネー情報が表わす電子マネーから減算させて、精算を完了させる。なお、システム制御部１１０は、上述のように、過払い料金情報を取得した場合には、その過払い料金情報を過払い料金情報保存部４３５から削除する。システム制御部１１０は、精算後において、減算した過払い料金がまだ残っている場合には、残った過払い料金を学生Ｘの学籍番号情報と対応づけて、過払い料金情報保存部４３５に保存する。
【０１０４】
また、システム制御部１１０は、印刷料金情報保存後（ステップＳ１５０）、保存した精算料金情報が表す精算料金と、保存した印刷料金情報が表す印刷料金との差額を、新たな過払い料金として算出し、それを学生Ｘの学籍番号情報に対応づけて過払い料金情報保存部４３５に保存する（ステップ３６０）。なお、システム制御部１１０は、上述のステップＳ３５０の処理で、精算後に残った過払い料金を、学生Ｘの学籍番号情報と対応づけて過払い料金情報保存部４３５に保存させている場合には、既に保存されている過払い料金情報の表す過払い料金に、新たな過払い料金を加え、その合計を新しい過払い料金として過払い料金情報保存部４３５に上書き保存する（ステップＳ３６０）。
【０１０５】
次に、送受信実行部１２５は、過払い料金情報保存部４３５から学生Ｘの学籍番号情報と対応づけて保存される過払い料金情報を取得し、管理サーバＭＳＶへ送信する（ステップＳ３７０）。一方、管理サーバＭＳＶは、送信されてくる過払い料金情報を受信し、過払い料金情報テーブル保存部９１０に保存される過払い料金情報テーブルに、学生Ｘの学籍番号情報と対応づけて記載する。
【０１０６】
なお、送受信実行部１２５は、管理サーバＭＳＶへ過払い料金情報を送信後には、過払い料金情報保存部４３５に記憶された過払い料金情報を削除する。
【０１０７】
以上のように、プリンタサーバＰＳＶ'１は、精算時に過払い料金が発生すると、それを過払い料金情報として、管理サーバＭＳＶに送信している。同様に、他のプリンタサーバＰＳＶ'も、精算時に過払い料金が発生すると、それを学籍番号情報と対応づけて過払い料金情報として、管理サーバＭＳＶに送信する。一方、管理サーバＭＳＶは、これらの過払い料金情報を随時受信し、受信した過払い料金情報を過払い料金情報テーブルに反映し、過払い料金情報テーブルを更新している。
【０１０８】
Ｂ４．実施例の効果：
上記第２の印刷および料金精算処理において、プリンタサーバＰＳＶ'１は、過払い料金が生じた場合には、それを学籍番号と対応づけて過払い料金情報保存部４３５に保存し、それを管理サーバＭＳＶに送信している。一方、管理サーバＭＳＶは、各プリンタサーバＰＳＶ'から送信されてくる過払い料金情報を、随時過払い料金情報テーブルに反映し、過払い料金情報テーブルを更新している。従って、この過払い料金情報テーブルは、常に各学生に対応する最新の過払い料金情報を表すことになる。このようにすれば、各プリンタサーバＰＳＶ'は、精算料金の精算時において、管理サーバＭＳＶから過払い料金情報を取得する場合には、管理サーバＭＳＶから最新の過払い料金情報を取得することができる。その結果、学生が所定のプリンタサーバＰＳＶ'で、精算料金の精算をした場合に、そのプリンタサーバＰＳＶ'は、管理サーバＭＳＶから最新の過払い料金情報を取得し、それを料金の精算に使用することができる。言い換えれば、学生は、精算料金の精算時において、最新の過払い料金情報が表す過払い料金を、キャンパスプリントシステムＣＰＳ２に設置されたいずれのプリンタサーバＰＳＶ'においても使用することができる。
【０１０９】
Ｃ．変形例：
なお、本発明では、上記した実施の形態に限られるものではなく、その要旨を逸脱しない範囲において種々の態様にて実施することが可能である。
【０１１０】
Ｃ１．変形例１：
上記第２の実施例のキャンパスプリントシステムＣＰＳ２において、プリントシステムＰＳ'１とは別の料金精算装置であって、非接触型電子マネーカードＥＣを用いて料金精算を行なう料金精算装置（図示せず、以下、料金精算装置Ｙと呼ぶ。）がローカルエリアネットワークＬＡＮ１に接続されていてもよい。この料金精算装置Ｙとしては、例えば、清涼飲料水や所定の発行物等を販売する自動販売機などが考えられる。この場合、料金精算装置Ｙは、少なくとも、非接触型電子マネーカードＥＣの電子マネー情報や学籍番号情報などを読み取るカードリーダ（図示せず、以下、カードリーダＺと呼ぶ。）と、所定の課金を検知する検知部（図示せず）と、ローカルエリアネットワークＬＡＮ１を介して管理サーバＭＳＶから過払い料金情報テーブルを取得するテーブル取得部（図示せず）とを備えている。そして、料金精算装置Ｙは、検知部が課金を検知すると、上述の実施例のごとく、カードリーダＺを介して課金に応じた精算を行なう。料金精算装置Ｙは、この際、テーブル取得部に過払い料金情報テーブルを取得させ、また、非接触型電子マネーカードＥＣからカードリーダＺを介して学籍番号情報を取得する。料金精算装置Ｙは、取得した過払い料金情報テーブルにおいて、取得した学籍番号情報に対応する過払い料金があるかどうかを検証する。そして、料金精算装置Ｙは、過払い料金がある場合には、過払い料金を精算料金に使用する。このようにすれば、プリントシステムＰＳ'１で印刷および精算を行なった学生は、実際に生じた印刷料金よりも多く精算料金を支払った場合であっても、その多く支払った料金分を、過払い料金として、料金精算装置Ｙにおける精算時に使用することができる。
【０１１１】
Ｃ２．変形例２：
上記実施例では、上述の印刷および精算システムを、大学Ｍ内におけるキャンパスプリントシステムとして説明したが、本発明はこれに限られるものではない。例えば、上記印刷および精算システムを、企業などの組織などで用いてもよい。このようにしても、本実施例と同様の効果を奏することができる。
【０１１２】
Ｃ３．変形例３：
上記実施例のキャンパスプリントシステムＣＰＳ１において、印刷ジョブに基づく印刷行為に対して料金を精算するシステムとして説明したが、本発明はこれに限られるものではない。例えば、発行機（図示せず）が証明書等の所定の発行物を発行する行為に対して料金を精算するようなシステムに用いてもよい。また、コピー機が所定の複写物を印刷する行為に対して料金を精算するようなシステムに用いてもよい。このようにしても、本実施例と同様の効果を奏することができる。
【０１１３】
Ｃ４．変形例４：
上記実施例では、システム制御部１１０は、印刷物に対する料金の精算を学生Ｘに要求するため、タッチパネルＴＰ１に料金精算要求画面Ｒを表示させるようにしているが、本発明はこれに限られるものではない。例えば、プリンタサーバＰＳＶは、所定の音声を発生する音声発生部（図示せず）を備え、システム制御部１１０は、その音声発生部を制御して、音声で印刷物に対する料金の精算を学生Ｘに要求するようにしてもよい。この場合、音声発生部は、例えば、「学籍番号が１２３４３２１、氏名が山田太郎さん、印刷料金は、１５６０円になります。この料金を精算のため、非接触型電子マネーカードＥＣをカードリーダＣＲにかざしてください。」等の音声を繰り返し発声して、学生Ｘに料金精算を要求する。このようにしても、本実施例と同様の効果をそうすることができる。
【０１１４】
Ｃ５．変形例５：
上記実施例において、第１又は第２の印刷および料金精算処理で、システム制御部１１０は、精算時において、学生を特定するための学籍番号情報を用いて、過払い料金をその学籍番号情報に対応する学生に還元するようにしているが、本発明はこれに限られるものではない。例えば、学生を特定するための情報として氏名情報や所定のユーザＩＤを用いて、過払い料金をその氏名情報や所定のユーザＩＤに対応する学生に還元するようにしてもよい。例えば、ユーザＩＤを用いる場合には、予め非接触型電子マネーカードＥＣにユーザＩＤを記憶させておく。また、過払い料金情報をユーザＩＤに対応づけて過払い料金情報テーブルに記載しておく。そして、システム制御部１１０は、精算時において、非接触型電子マネーカードＥＣからユーザＩＤを取得し、上記過払い料金情報テーブルから取得したユーザＩＤに対応する過払い料金情報を取得し、それを過払い料金として、取得したユーザＩＤに対応する学生に還元するようにする。
【０１１５】
Ｃ６．変形例６：
上記実施例および上記変形例５において、第１又は第２の印刷および料金精算処理で、システム制御部１１０は、精算時において、学生を特定するための情報（学籍番号情報、氏名情報、ユーザＩＤ等）を用いて、過払い料金をその学籍番号情報に対応する学生に還元するようにしているが、本発明はこれに限られるものではない。例えば、システム制御部１１０は、非接触型電子マネーカードＥＣを特定するための情報（以下、カード特定情報と呼ぶ。）を用いて、過払い料金をそのカード特定情報に対応する非接触型電子マネーカードＥＣを用いる人に還元するようにしてもよい。すなわち、予め非接触型電子マネーカードＥＣにカード特定情報を記憶させておき、過払い料金情報をカード特定情報に対応づけて過払い料金情報テーブルに記載しておく。そして、システム制御部１１０は、精算時において、非接触型電子マネーカードＥＣからカード特定情報を取得し、上記過払い料金情報テーブルから取得したカード特定情報に対応する過払い料金情報を取得し、それを過払い料金として、上記カード特定情報に対応する非接触型電子マネーカードＥＣを用いた人に還元するようにする。なお、カード特定情報としては、数字やアルファベットなどで区別可能なカードＩＤなどがある。
【０１１６】
Ｃ７．変形例７：
上記実施例では、非接触型電子マネーカードＥＣを用いて説明したが、本発明はこれに限られるものではない。非接触型電子マネーカードＥＣは、電子マネー情報および学生を特定するための情報（学籍番号情報等）を記憶することができる非接触型記憶媒体であればよく、例えば、上記実施例において、非接触型電子マネーカードＥＣの代わりに、ＦｅｌｉＣａ（ソニー株式会社の登録商標）機能を搭載した携帯電話、ＰＤＡなどを用いてもよい。このようにしても、本実施例と同様の効果をそうすることができる。
【０１１７】
Ｃ８．変形例８：
上記実施例において、プリンタサーバＰＳＶおよび管理サーバＳＶの各部は、ソフトウェア的に構成されているものを、ハードウェア的に構成するようにしてもよいし、ハードウェア的に構成されているものを、ソフトウェア的に構成するようにしてもよい。
【図面の簡単な説明】
【０１１８】
【図１】本発明の第１の実施例としてのキャンパスプリントシステムＣＰＳ１の概要構成を示す説明図である。
【図２】第１の実施例におけるプリントシステムＰＳ１および管理サーバＭＳＶの構成を示す説明図である。
【図３】第１の実施例における非接触型電子マネーカードＥＣおよびカードリーダＣＲ１の機能を示す説明図である。
【図４】第１の実施例におけるプリンタサーバＰＳＶ１が行なう第１の印刷および料金精算処理を示すフローチャートである。
【図５】第１の実施例におけるプリンタサーバＰＳＶ１が行なう第１の印刷および料金精算処理を示すフローチャートである。
【図６】第１の実施例における過払い料金情報テーブルを示す説明図である。
【図７】第１の実施例におけるタッチパネルＴＰ１に表示される印刷ジョブリスト選択画面Ｑを説明するための図である。
【図８】第１の実施例におけるタッチパネルＴＰ１に表示される料金精算要求画面Ｒを説明するための図である。
【図９】本発明の第２の実施例としてのキャンパスプリントシステムＣＰＳ２の概要構成を示す説明図である。
【図１０】第２の実施例におけるプリントシステムＰＳ'１および管理サーバＭＳＶの構成を示す説明図である。
【図１１】第２の実施例におけるプリンタサーバＰＳＶ'１が行なう第２の印刷および料金精算処理を示すフローチャートである。
【図１２】第２の実施例におけるプリンタサーバＰＳＶ'１が行なう第２の印刷および料金精算処理を示すフローチャートである。
【符号の説明】
【０１１９】
ＰＲＴ...プリンタ
５０...カード情報読み取り部
１００...ＣＰＵ
１１０...システム制御部
１２０...送受信実行部
１２５...送受信実行部
２００...ネットワークＩ／Ｆ
３００...デバイスＩ／Ｆ
４００...メモリ
４０５...印刷料金算出用テーブル保存部
４１０...印刷料金情報保存部
４２０...カード情報保存部
４３０...過払い料金情報テーブル保存部
４４０...印刷ジョブ保存部
４５０...使用可能電子マネー情報保存部
４６０...精算料金情報保存部
７００...ネットワークＩ／Ｆ
８００...ＣＰＵ
８１０...管理制御部
９００...メモリ
９１０...過払い料金情報テーブル保存部
１１００円...印刷予測金額
ＣＰＳ１，２...キャンパスプリントシステム
ＬＡＮ１...ローカルエリアネットワーク
ＰＳＶ...プリンタサーバ
ＥＣ...非接触型電子マネーカード
ＣＧ...チャージャ
ＣＬ...クライアント
ＴＰ...タッチパネル
ＣＲ...カードリーダ
ＰＳ...プリントシステム
ＭＳＶ...管理サーバ
【図１】
2006079267.tif 000003
【図２】
2006079267.tif 000004
【図３】
2006079267.tif 000005
【図４】
2006079267.tif 000006
【図５】
2006079267.tif 000007
【図６】
2006079267.tif 000008
【図７】
2006079267.tif 000009
【図８】
2006079267.tif 000010
【図９】
2006079267.tif 000011
【図１０】
2006079267.tif 000012
【図１１】
2006079267.tif 000013
【図１２】
2006079267.tif 000014